(57)【要約】【課題】測定される積算電力量が意図的に実態とは異なる値に調整されるのを回避する。【解決手段】電源ラインＬに印加されている電圧の電圧値および電源ラインＬを流れている電流の電流値を測定する電圧測定部１１Ｖおよび電流測定部１１Ａと、電力量計Ｍによる周期報知動作によって報知される周期に対応するタイミングを検出する「検出部」と、測定された電圧値および電流値に基づいて負荷に供給されている電力量を演算すると共に演算した電力量に基づいて積算電力量を演算する処理部１５と、処理部１５に積算電力量を演算させる処理部２５とを備え、処理部２５が、電力量計Ｍが「Ｎ回」の周期報知動作を行う間の積算電力量を「検出部」によって検出されるタイミングに応じて処理部１５に演算させると共に、予め規定された条件を満たすように「Ｎ回」の回数を規定する。【選択図】図１
2018197703.tif 000002
【特許請求の範囲】
【請求項１】
電力量計が設置された導電路に印加されている電圧の電圧値および当該導電路を流れている電流の電流値を測定する測定部と、
前記電力量計による周期報知動作によって報知される周期に対応するタイミングを検出する検出部と、
前記測定部によって測定された前記電圧値および前記電流値に基づいて前記導電路を介して負荷に供給されている電力量を演算する第１の演算部と、
前記第１の演算部によって演算された前記電力量に基づいて積算電力量を演算する第２の演算部と、
前記第２の演算部に前記積算電力量を演算させる処理部とを備え、
前記処理部は、前記電力量計がＮ回（Ｎは、自然数）の前記周期報知動作を行う間の前記積算電力量を前記検出部によって検出される前記タイミングに応じて前記第２の演算部に演算させると共に、予め規定された条件を満たすように前記Ｎ回の回数を規定する測定システム。
【請求項２】
前記検出部は、前記報知される周期に同期させたタイミング特定用操作が可能な操作部を備え、当該操作部に対する前記タイミング特定用操作に基づいて前記報知される周期に対応するタイミングを検出可能に構成されている請求項１記載の測定システム。
【請求項３】
前記検出部は、前記電力量計を撮像可能な撮像部と、当該撮像部から出力される撮像データを解析して前記報知される周期を特定する画像解析部とを備え、当該画像解析部の解析結果に基づいて前記報知される周期に対応するタイミングを検出可能に構成されている請求項１または２記載の測定システム。
【請求項４】
前記測定部を少なくとも有する第１の装置と、
前記検出部および前記処理部を少なくとも有すると共に前記第１の装置とは別体に構成されて当該第１の装置と通信可能に構成された第２の装置とを備えて構成されている請求項１から３のいずれかに記載の測定システム。
【請求項５】
電力量計が設置された導電路に印加されている電圧の電圧値および当該導電路を流れている電流の電流値を測定する測定部と、
前記電力量計による周期報知動作によって報知される周期に対応するタイミングを検出する検出部と、
前記測定部によって測定された前記電圧値および前記電流値に基づいて前記導電路を介して負荷に供給されている電力量を演算する第１の演算部と、
前記第１の演算部によって演算された前記電力量に基づいて積算電力量を演算する第２の演算部と、
前記第２の演算部に前記積算電力量を演算させる処理部とを備えた測定システムの当該処理部に対して、
前記電力量計がＮ回（Ｎは、自然数）の前記周期報知動作を行う間の前記積算電力量を前記検出部によって検出される前記タイミングに応じて前記第２の演算部に演算させると共に、予め規定された条件を満たすように前記Ｎ回の回数を規定する処理を実行させる測定システム用プログラム。
【発明の詳細な説明】
【技術分野】
【０００１】
本発明は、導電路を介して負荷に供給された積算電力量についての情報を提供可能に構成された測定システム、および測定システムの処理部に上記の情報の提供に必要な処理を実行させる測定システム用プログラムに関するものである。
【背景技術】
【０００２】
この種の測定システムとして、出願人は、下記の特許文献に積算電力計を開示している。出願人が開示している積算電力計は、被測定ライン（測定対象の導電路）を流れる電流を検出する電流センサと、被測定ラインに印加されている電圧を検出する電圧センサと、複数の測定レンジが切替え可能に設けられて両センサから出力された信号を信号処理する入力部と、入力部から出力された信号をＡ／Ｄ変換処理するＡ／Ｄ変換器と、Ａ／Ｄ変換器から出力されたデータに基づいて電力量等を演算する制御手段（ＣＰＵ）と、操作手段および表示手段とを備えて構成されている。
【０００３】
この積算電力計を用いた測定処理、およびその結果の報知処理では、電流センサおよび電圧センサから出力されて入力部において信号処理された信号がＡ／Ｄ変換器に入力されることにより、入力部における測定レンジの切替え状態に応じた電流値のデータおよび電圧値のデータがＡ／Ｄ変換器から出力される。この際に、ＣＰＵは、Ａ／Ｄ変換器から出力された両データに基づいて瞬時電力（瞬時電力量）を演算すると共に、新たなデータに基づいて新たな瞬時電力量を演算する都度、その値を積算して（積算電力用メモリ内の値に順次加算して）積算電力（積算電力量）を求める。また、ＣＰＵは、同特許文献に開示の手順に従い、瞬時電力の誤差を演算して積算する処理（電力誤差用メモリ内の値に順次加算する処理）を上記の処理と並行して実行する。
【０００４】
この後、ＣＰＵは、例えば上記の積算を終了させる操作が行われたときに、積算電力用メモリから積算電力量を読み出すと共に、電力誤差用メモリから電力量の測定誤差（誤差の積算値：測定誤差量）を読み出し、読み出した積算電力量および測定誤差量を表示手段に表示させたり、プリンタによって印刷させたりする。以上により、測定処理および測定結果の報知処理が完了する。
【先行技術文献】
【特許文献】
【０００５】
【特許文献１】特開２００２−２８６７６８号公報（第３−４頁、第１−２図）
【発明の概要】
【発明が解決しようとする課題】
【０００６】
ところが、出願人が開示している積算電力計には、以下のような改善すべき課題が存在する。具体的には、出願人が開示している積算電力計では、測定対象の導電路について測定した電流値および電圧値に基づいて瞬時電力量を逐次演算し、その演算結果を所定時間に亘って積算することにより、導電路を介して所定時間内に供給された積算電力量を求めて測定誤差量と共に表示または印刷する構成が採用されている。
【０００７】
一方、この種のシステム（装置）の測定対象である導電路には、一定期間内に使用された電力量や負荷の動作状態の把握を目的として、積算電力量を継続的に計量する電力量計が設置されている。しかしながら、電力量計をバイパスする導電路を並設したり、電力量計を改造したりして計量値を過小表示させる盗電行為や、電力量計の故障等に起因して正確な計量値が得られない事故などが発生している現状がある。このため、バイパス路の並設や、電力量計の改造・故障・劣化など（以下、これらを総称して「電力量計の異常」ともいう）の有無を確認する必要が生じることがある。
【０００８】
この場合、導電路に設置されている電力量計が誘導形電力量計の場合には、外部から目視可能な計量用円板が配設されており、この計量用円板の回転状態（規定量の電力量が測定される周期を報知する動作：周期報知動作）を見ることで、導電路を介しての電力の供給状態を把握することが可能となっている。また、誘導形電力量計には、「○○○ｒｅｖ／□□ｋＷｈ」などの計器定数（□□ｋＷｈを計量する間に計量用円板が○○○回転するとの情報）が記されており、この計器定数に基づいて計量用円板の１回転（１回の周期報知動作）当りに計量される計量値を算出することが可能となっている。
【０００９】
さらに、導電路に設置されている電力量計が電子式電力量計の場合には、積算電力量が規定量に達する都度、点滅（瞬間的に発光）させられる発光部（計量パルス報知部）が設けられており、この計量パルス報知部の点滅状態（周期報知動作）を見ることで、導電路を介しての電力の供給状態を把握することが可能となっている。また、電子式電力量計には、「○○○ｐｕｌｓｅ／□□ｋＷｈ」などの計器定数（□□ｋＷｈを計量する間に計量パルス報知部が○○○回点滅するとの情報）が記されており、この計器定数に基づいて計量パルス報知部の１点滅動作（１回の周期報知動作）当りに計量される計量値を算出することが可能となっている。
【００１０】
したがって、１回の周期報知動作当りに電力量計によって計量される計量値を計器定数に基づいて予め算出しておき、上記の積算電力計を用いて、電力量計の１回の周期報知動作当りにおける積算電力量を測定し、測定結果と算出した値とを比較することで電力量計の異常の有無を確認することが可能となる。
【００１１】
しかしながら、例えば、電源設備（導電路や電力量計）の所有者と、バイパス路の並設や電力量計の異常の有無を確認する作業者とが異なるときには、電源設備の実態とは異なる確認結果が作業者から所有者に提供される可能性がある。
【００１２】
具体的には、例えば、出願人が開示している積算電力計を用いて前述したような作業を実施して確認結果としての積算電力量および測定誤差量の印刷物を電源設備の所有者に対して提供する際に、実際にはバイパス路の並設や電力量計の異常が生じていたとしても、バイパス路の並設や電力量計の異常が生じていない正常状態において測定されるべき積算電力量が測定された時点で測定処理を停止させることにより、正常状態において測定されるべき積算電力量で、測定誤差量が「０」の印刷物が生成されてしまう。このため、提供された印刷物を見た所有者が電源設備の実態を正しく把握することができなくなるため、この点を改善するのが好ましい。
【００１３】
本発明は、かかる問題点に鑑みてなされたものであり、測定される積算電力量が意図的に実態とは異なる値に調整されるのを回避し得る測定システムおよび測定システム用プログラムを提供することを主目的とする。
【課題を解決するための手段】
【００１４】
上記目的を達成すべく、請求項１記載の測定システムは、電力量計が設置された導電路に印加されている電圧の電圧値および当該導電路を流れている電流の電流値を測定する測定部と、前記電力量計による周期報知動作によって報知される周期に対応するタイミングを検出する検出部と、前記測定部によって測定された前記電圧値および前記電流値に基づいて前記導電路を介して負荷に供給されている電力量を演算する第１の演算部と、前記第１の演算部によって演算された前記電力量に基づいて積算電力量を演算する第２の演算部と、前記第２の演算部に前記積算電力量を演算させる処理部とを備え、前記処理部は、前記電力量計がＮ回（Ｎは、自然数）の前記周期報知動作を行う間の前記積算電力量を前記検出部によって検出される前記タイミングに応じて前記第２の演算部に演算させると共に、予め規定された条件を満たすように前記Ｎ回の回数を規定する。
【００１５】
なお、「周期報知動作」とは、前述したように、規定量の電力量が測定される周期を報知する動作であり、誘導形電力量計の場合には、計量用円板の回転動作がこれに該当し、１周期内にパルス報知部が１回点滅する（点灯状態および消灯状態に移行する）電子式電力量計の場合には、点滅によって周期を報知する動作がこれに該当し、１周期に亘って点灯状態／消灯状態が維持される（１周期に亘って点灯状態が維持された後に１周期に亘って消灯状態が維持される）電子式電力量計の場合には、点灯によって周期を報知する動作、および消灯によって周期を報知する動作がこれに該当する。
【００１６】
請求項２記載の測定システムは、請求項１記載の測定システムにおいて、前記検出部は、前記報知される周期に同期させたタイミング特定用操作が可能な操作部を備え、当該操作部に対する前記タイミング特定用操作に基づいて前記報知される周期に対応するタイミングを検出可能に構成されている。
【００１７】
請求項３記載の測定システムは、請求項１または２記載の測定システムにおいて、前記検出部は、前記電力量計を撮像可能な撮像部と、当該撮像部から出力される撮像データを解析して前記報知される周期を特定する画像解析部とを備え、当該画像解析部の解析結果に基づいて前記報知される周期に対応するタイミングを検出可能に構成されている。
【００１８】
請求項４記載の測定システムは、請求項１から３のいずれかに記載の測定システムにおいて、前記測定部を少なくとも有する第１の装置と、前記検出部および前記処理部を少なくとも有すると共に前記第１の装置とは別体に構成されて当該第１の装置と通信可能に構成された第２の装置とを備えて構成されている。
【００１９】
請求項５記載の測定システム用プログラムは、電力量計が設置された導電路に印加されている電圧の電圧値および当該導電路を流れている電流の電流値を測定する測定部と、前記電力量計による周期報知動作によって報知される周期に対応するタイミングを検出する検出部と、前記測定部によって測定された前記電圧値および前記電流値に基づいて前記導電路を介して負荷に供給されている電力量を演算する第１の演算部と、前記第１の演算部によって演算された前記電力量に基づいて積算電力量を演算する第２の演算部と、前記第２の演算部に前記積算電力量を演算させる処理部とを備えた測定システムの当該処理部に対して、前記電力量計がＮ回（Ｎは、自然数）の前記周期報知動作を行う間の前記積算電力量を前記検出部によって検出される前記タイミングに応じて前記第２の演算部に演算させると共に、予め規定された条件を満たすように前記Ｎ回の回数を規定する処理を実行させる。
【発明の効果】
【００２０】
請求項１記載の測定システムでは、処理部が、電力量計がＮ回の周期報知動作を行う間の積算電力量を第２の演算部に演算させると共に、予め規定された条件を満たすようにＮ回の回数を規定する。また、請求項５記載の測定システム用プログラムでは、上記の処理を測定システムの処理部に実行させる。したがって、請求項１記載の測定システム、および請求項５記載の測定システム用プログラムによれば、電力量計が何回の周期報知動作を行う間に亘って電力量が積算されるかを作業者に認識させることなく、積算電力量が測定（演算）されるため、測定される積算電力量が意図的に実態とは異なる値に調整されるのを確実に回避して、実態に即した高精度な積算電力量を提供することができる。
【００２１】
請求項２記載の測定システムでは、検出部が、周期報知動作によって報知される周期に同期させたタイミング特定用操作が可能な操作部を備え、操作部に対するタイミング特定用操作に基づき、周期報知動作によって報知される周期に対応するタイミングを検出可能に構成されている。したがって、請求項２記載の測定システム、およびそのような測定システムの処理部に対して第２の演算部を制御する処理を実行させる測定システム用プログラムによれば、比較的簡易な構成、または簡易な処理によって電力量計による周期報知動作の周期に対応する周期を検出して積算電力量を測定（演算）することができるため、製造コストの高騰を招くことなく、高精度な積算電力量を取得し得る測定システムを提供することができる。
【００２２】
請求項３記載の測定システムでは、検出部が、電力量計を撮像可能な撮像部と、撮像部から出力される撮像データを解析して周期報知動作によって報知される周期を特定する画像解析部とを備え、画像解析部の解析結果に基づき、周期報知動作によって報知される周期に対応するタイミングを検出可能に構成されている。したがって、請求項３記載の測定システム、およびそのような測定システムの処理部に対して第２の演算部を制御する処理を実行させる測定システム用プログラムによれば、電力量計を撮像させるだけで周期報知動作によって報知される周期に対応するタイミングを検出して積算電力量を測定（演算）することができるため、この種の装置の操作に不慣れな作業者に対して高精度な積算電力量を容易に取得させることができる。
【００２３】
請求項４記載の測定システムでは、測定部を少なくとも有する第１の装置と、検出部および処理部を少なくとも有すると共に第１の装置とは別体に構成されて第１の装置と通信可能に構成された第２の装置とを備えて構成されている。したがって、請求項４記載の測定システム、およびそのような測定システムの処理部に対して第２の演算部を制御する処理を実行させる測定システム用プログラムによれば、電力量の測定に適した位置に第１の装置（測定部）を配設した状態で、電力量計を確実に視認、または撮像し得る位置において第２の装置から第１の装置を遠隔操作で動作させることで積算電力量を測定（演算）させることができるため、高精度な積算電力量を確実かつ容易に取得させることができる。
【図面の簡単な説明】
【００２４】
【図１】測定システム１００の構成を示す構成図である。
【図２】測定システム１００における携帯情報端末２の処理部２５が実行する報告書データ生成処理３０のフローチャートである。
【図３】報告書データ生成処理３０における制御処理４０のフローチャートである。
【図４】報告書データ生成処理３０における制御処理５０のフローチャートである。
【発明を実施するための形態】
【００２５】
以下、本発明に係る測定システムおよび測定システム用プログラムの実施の形態について、添付図面を参照して説明する。
【００２６】
図１に示す測定システム１００は、「測定システム」の一例であって、電力計１、携帯情報端末２およびデータサーバ３を備え、導電路を介して負荷に供給されている電力量についての測定処理、および測定結果（導電路に設置されている電力量計の計量値が正確であるか否かを特定可能な情報）の提供を行うことができるように構成されている。なお、以下の説明においては、一例として、導線Ｌａ，Ｌｂの単相二線式の電源ラインＬ（単相二線式の導電路）に電力量計Ｍが設置され、この電源ラインＬを介して負荷に電力が供給されているものとする。
【００２７】
また、この種の電源ラインＬ（導電路）に設置される電力量計Ｍとしては、計量用円板の回転動作（「周期報知動作」の一例）によって「規定量の電力量が測定される周期」を報知する構成の誘導形電力量計と、計量パルス報知部の点滅動作（「周期報知動作」の他の一例）によって「規定量の電力量が測定される周期」を報知する構成の電子式誘導形電力量計とが存在する。さらに、電子式電力量計のなかには、１周期内にパルス報知部が１回点滅する（点灯状態および消灯状態に移行する）タイプのものと、１周期に亘って点灯状態／消灯状態が維持される（１周期に亘って点灯状態が維持された後に１周期に亘って消灯状態が維持される）タイプのものが存在する。
【００２８】
一方、電力計１は、「第１の装置」に相当する測定装置の一例であって、携帯情報端末２と相俟って「測定システム」を構成する。この電力計１は、電圧測定部１１Ｖ、電流測定部１１Ａ、通信部１２、操作部１３、表示部１４、処理部１５および記憶部１６を備え、電力量（瞬時電力量）や、その積算値（積算電力量）などの測定、および測定結果の表示を実行することができるように構成されている。
【００２９】
電圧測定部１１Ｖは、電流測定部１１Ａと相俟って「測定部」を構成し、一例として、測定ケーブルを介して電源ラインＬ（導線Ｌａ，Ｌｂ）に接続されて導線Ｌａ，Ｌｂ間に印加されている電圧値を測定し、測定結果を示す電圧値データＤｖを出力する。なお、電圧測定部１１Ｖのような「接触式電圧測定部」に代えて、電源ラインＬ（導線Ｌａ，Ｌｂ）に対して非接触（金属非接触）で電圧を測定する「非接触式電圧測定部」を備えて構成することもできる。電流測定部１１Ａは、導線Ｌａをクランプした状態のクランプセンサを用いて導線Ｌａを流れている電流の電流値を測定し、測定結果を示す電流値データＤａを出力する。
【００３０】
通信部１２は、一例として、ブルートゥース（Bluetooth ：登録商標）規格などの近距離無線通信規格に準ずる無線通信が可能な通信アダプタで構成されている。この通信部１２は、処理部１５の制御に従い、携帯情報端末２などの各種無線通信機器との間で各種のデータを送受信する。
【００３１】
操作部１３は、電力計１の動作条件の入力操作が可能な操作スイッチや、測定（積算電力量の演算）の開始／停止を指示する操作スイッチ、および測定値（積算電力量等）をホールドする操作スイッチなどを備え、スイッチ操作に応じた操作信号を処理部１５に出力する。表示部１４は、処理部１５の制御に従って動作条件設定画面や測定結果表示画面等の各種の表示画面（図示せず）を表示する。
【００３２】
処理部１５は、後述するように記憶部１６に記憶されている測定システム用プログラムＤｓ１に基づき、電力計１を総括的に制御する。具体的には、処理部１５は、後述するように携帯情報端末２から送信される制御コマンドＤｃに従って電圧測定部１１Ｖおよび電流測定部１１Ａを制御して測定処理を実行させると共に、電圧測定部１１Ｖから出力される電圧値データＤｖ、および電流測定部１１Ａから出力される電流値データＤａを記憶部１６に記憶させる。
【００３３】
また、処理部１５は、「第１の演算部」として機能し、上記の電圧値データＤｖおよび電流値データＤａに基づき、電源ラインＬを介して負荷に供給されている電力量（瞬時値）を演算して電力量データＤｗを生成し、生成した電力量データＤｗを記憶部１６に記憶させる。さらに、処理部１５は、電力量データＤｗの値を表示部１４に表示させると共に、通信部１２から携帯情報端末２に電力量データＤｗを送信させる。
【００３４】
また、処理部１５は、「第２の演算部」として機能して、電力量データＤｗに基づき、指定時間内の積算電力量を演算して積算電力量データＤｔを生成し、生成した積算電力量データＤｔを記憶部１６に記憶させる。さらに、処理部１５は、積算電力量データＤｔの値を表示部１４に表示させると共に、通信部１２から携帯情報端末２に積算電力量データＤｔを送信させる。
【００３５】
記憶部１６は、処理部１５が実行する上記の各処理の手順が記録された測定システム用プログラムＤｓ１や、上記の電圧値データＤｖ、電流値データＤａ、電力量データＤｗおよび積算電力量データＤｔなどを記憶する。
【００３６】
一方、携帯情報端末２は、「第１の装置とは別体に構成されて第１の装置と通信可能に構成された第２の装置」に相当し、前述したように、電力計１と相俟って「測定システム」を構成する。この携帯情報端末２は、一例として、測定システム用プログラムＤｓ２をインストールした既存のタブレット端末、スマートフォンおよびパーソナルコンピュータなどで構成されている。
【００３７】
なお、広義には、「タブレット端末」は「タッチパネル等のポインティングデバイスと表示装置とを備えたＰＤＡ（携帯情報端末）」を意味し、「スマートフォン」は「ＰＤＡ（携帯情報端末）の機能が備わった携帯電話」を意味するが、本明細書では、この広義の「タブレット端末」および広義の「スマートフォン」のうちの「各種プログラムのインストールによって任意の機能を付加したり、端末の操作環境や表示環境等をカスタマイズしたりすることができるもの」を「タブレット端末」や「スマートフォン」という。
【００３８】
この場合、本例では、図１に示すように、カメラ２１、通信部２２ａ，２２ｂ、操作部２３、表示部２４、処理部２５および記憶部２６を備えたスマートフォンで携帯情報端末２が構成されているものとする。なお、実際の携帯情報端末２は、上記の各構成要素２１〜２７の他に、「スマートフォン」としての機能を実現するための各種の構成要素を備えているが、本願発明についての理解を容易とするために、それらの構成要素についての図示および説明を省略する。
【００３９】
カメラ２１は、「検出部」における「撮像部」の一例であって、処理部２５の制御に従って電力量計Ｍなどを対象とする撮像処理を実行して撮像データＤｐを出力する。通信部２２ａは、前述した電力計１の通信部１２と同様にしてブルートゥース等の近距離無線通信規格に準ずる無線通信が可能な通信アダプタで構成されている。この通信部２２ａは、後述するように、処理部２５の制御に従い、電力計１などの各種無線通信機器との間で各種のデータを送受信する。通信部２２ｂは、一例として、携帯電話通信網やインターネット通信網で構成されるネットワークＮに接続可能な通信アダプタで構成されて、ネットワークＮを介してデータサーバ３などに接続して各種のデータを送受信する。
【００４０】
操作部２３は、「検出部」における「操作部」の一例であって、表示部２４の前面側に配設されたタッチパネルや、携帯情報端末２を「スマートフォン」としての機能させるための各種の操作スイッチを備え、操作に応じた操作信号を処理部２５に出力する。表示部２４は、一例として液晶表示パネルを備え、処理部２５の制御に従って各種の表示画面を表示する。
【００４１】
処理部２５は、携帯情報端末２を総括的に制御する。具体的には、処理部２５は、携帯情報端末２をスマートフォンとして機能させるための基本プログラムに従って各構成要素２１〜２４などを制御する。また、処理部２５は、「処理部」として機能して、記憶部２６に記憶させられている測定システム用プログラムＤｓ２に基づき、図２に示す報告書データ生成処理３０（電力計１の動作を制御する処理）を実行して、電力計１に積算電力量の測定（演算）処理などを実行させる。
【００４２】
さらに、処理部２５は、操作部２３と相俟って「検出部」を構成し、上記の電力量計Ｍが「誘導形電力量計」のときには、操作部２３からの操作信号に基づき、「電力量計による周期報知動作によって報知される周期に対応するタイミング」として「計量用円板の１回転に対応するタイミング」を検出すると共に、上記の電力量計Ｍが「電子式電力量計」のときには、操作部２３からの操作信号に基づき、「電力量計による周期報知動作によって報知される周期に対応するタイミング」として「計量パルス報知部による１回の周期報知動作に対応するタイミング」を検出する。
【００４３】
また、処理部２５は、「画像解析部」に相当してカメラ２１と相俟って「検出部」を構成し、上記の電力量計Ｍが「誘導形電力量計」のときには、カメラ２１から出力される撮像データＤｐを解析し、「電力量計による周期報知動作によって報知される周期に対応するタイミング」として「計量用円板の１回転に対応するタイミング」を検出すると共に、上記の電力量計Ｍが「電子式電力量計」のときには、カメラ２１から出力される撮像データＤｐを解析し、「電力量計による周期報知動作によって報知される周期に対応するタイミング」として「計量パルス報知部による１回の周期報知動作に対応するタイミング」を検出する。
【００４４】
さらに、処理部２５は、電力計１から送信される積算電力量データＤｔ等に基づいて報告書データＤｒを生成し、生成した報告書データＤｒを記憶部２６に記憶させると共に、使用者からの指示に従って通信部２２ｂおよびネットワークＮを介してデータサーバ３に送信する。
【００４５】
記憶部２６は、上記した基本プログラムや測定システム用プログラムＤｓ２を記憶すると共に、電力計１から送信される電力量データＤｗおよび積算電力量データＤｔや、撮像データＤｐおよび報告書データＤｒなどを記憶する。この場合、本例の測定システム１００では、処理部２５が実行する上記の各処理の手順が記録された測定システム用プログラムＤｓ２が「測定システム用プログラム」に相当する。なお、測定システム用プログラムＤｓ２やその他の各種データについては、そのすべて、または一部を、携帯情報端末２の内部メモリで構成された記憶部２６に代えて、携帯情報端末２に装着された各種のリムーバブルメモリに記憶させることもできる。
【００４６】
データサーバ３は、一例として、電力計１や携帯情報端末２の使用者（所有者）が報告書データＤｒ等の蓄積を目的として運用しているサーバであって、ネットワークＮを介して携帯情報端末２などの各種端末が接続することができるように構築されている。
【００４７】
次に、測定システム１００の使用方法について、添付図面を参照して説明する。
【００４８】
この測定システム１００では、電力計１および携帯情報端末２を組み合わせて（両者を使用して）各種の測定処理を実行させる使用形態だけでなく、電力計１を単独で使用して各種の測定処理を実行させる使用形態を選択することが可能に構成されているが、「測定システム」の構成に関する理解を容易とするために、電力計１を単独で使用する使用形態についての説明を省略し、電力計１および携帯情報端末２を組み合わせて使用する形態について説明する。
【００４９】
なお、携帯情報端末２への測定システム用プログラムＤｓ２のインストール、および電力計１の通信部１２と携帯情報端末２の通信部２２ａとの間におけるブルートゥースのペアリングなどについては既に完了しているものとする。
【００５０】
この測定システム１００では、後述するように、「積算電力量」の測定に際して、電源ラインＬに設置されている電力量計Ｍが「Ｎ回（Ｎは、予め規定された条件を満たすように規定（変更）される任意の自然数）の周期報知動作」を行う間の積算電力量を測定する構成が採用されている。また、本例の測定システム１００では、電力量計Ｍによる周期報知動作によって報知される周期に対応するタイミングについて、携帯情報端末２の操作部２３に対するタッチ操作（「タイミング特定用操作」の一例）によって検出させる使用方法と、カメラ２１によって電力量計Ｍを撮像した撮像データＤｐの画像解析によって検出させる使用方法とのいずれかを選択することができるように構成されている。
【００５１】
このような構成において、例えば、誘導形電力量計による周期報知動作に対応するタイミングを操作部２３に対するタッチ操作によって検出させるときには、電力量計Ｍ（回転している計量用円板）を見ながら、計量用円板のマーク付与部（例えば、赤色の着色が施された部位）が電力量計Ｍの真正面に位置したときに、操作部２３（タッチパネル）に対するタッチ操作を行うこととなる。この際には、マーク付与部が電力量計Ｍの真正面に位置した瞬間と操作部２３へのタッチ操作が行なわれる瞬間との間に僅かなずれが生じることがあり、そのずれ量が、操作の都度僅かに変化する。
【００５２】
これに対して、電力量計Ｍを撮像した撮像データＤｐを対象とする画像解析によって周期報知動作に対応するタイミングを検出させる場合には、タッチ操作によって検出させる使用方法において生じ得る上記のずれ量の変化は殆ど生じない。しかしながら、タッチ操作による検出、および画像解析による検出のいずれにおいても、携帯情報端末２において計量用円板のマーク付与部が正面に位置したと検出されてから、電力計１による積算電力量の測定が開始／終了されるまでには、携帯情報端末２および電力計１の間における制御コマンドＤｃの送受信に起因するタイムラグが生じ、このタイムラグは、携帯情報端末２（通信部２２ａ）および電力計１（通信部１２）の間の通信環境に応じて都度変化するおそれがある。
【００５３】
一方で、誘導形の電力量計Ｍでは、電源ラインＬを介して負荷に供給されている単位時間当りの電力量が多いときに計量用円板が高速回転する。このため、電力供給量が多いときには、１回の周期報知動作に要する時間（計量用円板の１回転に要する時間）が非常に短くなる。したがって、電力供給量が多いときには、「１回の周期報知動作に要する時間」に占める「制御コマンドＤｃの送受信時におけるタイムラグの変化分」が大きくなる結果、１回の周期報知動作に当りにおける積算電力量を正確に測定するのが困難となるおそれがある。なお、詳細な説明を省略するが、電力量計Ｍが電子式電力量計の場合においても、同様の理由から、１回の周期報知動作に当りにおける積算電力量を正確に測定するのが困難となるおそれがある。
【００５４】
そこで、本例の測定システム１００では、上記のような通信環境等に応じて変化する可能性がある処理時間の変化の影響を十分に軽減可能な十分な時間に亘って電力量の積算処理を実行して高精度な積算電力量データＤｔを生成するために、電源ラインＬを介して負荷に供給されている供給電力量に応じて、上記の「Ｎ回」の回数を変更する構成が採用されている。
【００５５】
具体的には、まず、電力計１を電源ラインＬに設置する。この際には、図１に示すように、測定ケーブルを介して電源ラインＬ（導線Ｌａ，Ｌｂ）と電圧測定部１１Ｖとを接続すると共に、電流測定部１１Ａに接続されているクランプセンサによって導線Ｌａをクランプする。なお、電源ラインＬにおける電力量計Ｍの近傍において上記のように測定ケーブルの接続やクランプセンサによるクランプを行うことができないときには、通信部１２，２２ａの通信可能範囲内において電力量計Ｍからやや離れた位置に電力計１を設置してもよい。また、電力量計Ｍをバイパスする導電路が並設されている可能性があるときには、そのような導電路の上流側の電源ラインＬ、または、そのような導電路が本来の電源ラインＬに合流させられた部位に電力計１を設置すればよい。
【００５６】
次いで、電力量計Ｍを視認できる位置において携帯情報端末２の操作部２３を操作して測定システム用プログラムＤｓ２を起動させる。これに応じて、処理部２５は、図２に示す報告書データ生成処理３０を開始する。この報告書データ生成処理３０では、処理部２５は、まず、図示しない測定情報の入力画面を表示部２４に表示させ、「測定日時」、「測定場所」および「作業担当者名（または、担当者コード）」や、電源ラインＬに設置されている電力量計Ｍに関する諸元情報（計器定数等）を作業者に入力させて取得する（ステップ３１）。この際には、電力量計Ｍのメインパネルを参照しつつ操作部２３を操作することにより、電力量計Ｍが設置されている電源ラインＬの種類を特定させる情報（「単相二線」、「１００Ｖ」および「５０Ｈｚ」などの情報）と、電力量計Ｍの「計器定数」とを入力する。
【００５７】
この場合、設置されている電力量計Ｍが誘導形電力量計（機械式電力量計）のときには、例えば「○○○ｒｅｖ／□□ｋＷｈ」との「計器定数（□□ｋＷｈの積算電力量が計量される間に計量用円板が○○○回転することを示した定数）」がメインパネルに記されている。また、設置されている電力量計Ｍが電子式電力量計のときには、例えば「○○○ｐｕｌｓｅ／□□ｋＷｈ」との「計器定数（□□ｋＷｈの積算電力量が計量される間に計量パルス報知部（ＬＥＤ等）が○○○回点滅動作することを示した定数）」がメインパネルに記されている。したがって、電力量計Ｍのメインパネルを参照しつつ操作部２３を操作して測定対象の電力量計Ｍの「計器定数」を入力する。
【００５８】
次いで、処理部２５は、通信部２２ａから電力計１に制御コマンドＤｃを送信することにより、電力量データＤｗの生成および送信を電力計１に実行させる（瞬時電力量データの取得：ステップ３２）。この際に、電力計１では、携帯情報端末２からの制御コマンドＤｃが通信部１２によって受信されたときに、処理部１５が、測定システム用プログラムＤｓ１に従い、電圧測定部１１Ｖおよび電流測定部１１Ａを制御して測定処理を実行させる。これに応じて、電圧測定部１１Ｖが電源ラインＬに印加されている電圧の電圧値を測定して電圧値データＤｖを出力し、電流測定部１１Ａが電源ラインＬを流れている電流の電流値を測定して電流値データＤａを出力する。
【００５９】
また、処理部１５は、「第１の演算部」として機能して、電圧測定部１１Ｖから出力された電圧値データＤｖ、および電流測定部１１Ａから出力された電流値データＤａに基づき、電源ラインＬを介して負荷に供給されている電力量（瞬時電力量）を演算し、演算結果を表示部１４に表示させると共に、電力量データＤｗを生成して記憶部１６に記憶させる。さらに、処理部１５は、生成した電力量データＤｗを通信部１２から携帯情報端末２に送信させる。なお、本例では、後述の報告書データ生成処理３０が終了するまで、電力計１による電力量データＤｗの生成が繰り返し実行されるものとする。
【００６０】
一方、携帯情報端末２では、処理部２５が、電力計１から送信されて通信部２２ａによって受信された電力量データＤｗを記憶部２６に記憶させると共に、積算電力量の測定処理に際して正確な積算電力量データＤｔを得るのに必要な測定サイクル数（上記の「Ｎ回」の回数）を特定する（ステップ３３）。
【００６１】
具体的には、処理部２５は、まず、ステップ３１において取得した電力量計Ｍの「計器定数」と、ステップ３２において取得した電力量データＤｗ（瞬時電力量）とに基づき、電力量計Ｍによる１回の周期報知動作に要する時間を演算する。この際には、電源ラインＬを介しての電力供給量が多いときほど短い時間が演算され、電源ラインＬを介しての電力供給量が少ないときほど長い時間が演算される。
【００６２】
次いで、処理部２５は、一例として、「積算時間≧１０秒」との条件（「予め規定された条件」の一例であり、前述したタイムラグの変化の影響が十分に小さくなる時間の一例）を満たす測定サイクル数を演算する。
【００６３】
この際に、一例として、１回の周期報知動作に要する時間が「１秒」のときには、「積算時間≧１０秒」との条件を満たす測定サイクル数のうちの最小値である「Ｎ＝１０回」との回数（サイクル数）が演算される。また、１回の周期報知動作に要する時間が「５秒」のときには、「積算時間≧１０秒」との条件を満たす測定サイクル数のうちの最小値である「Ｎ＝２回」との回数（サイクル数）が演算される。さらに、１回の周期報知動作に要する時間が「１０秒」のときには、「積算時間≧１０秒」との条件を満たす測定サイクル数のうちの最小値である「Ｎ＝１回」との回数（サイクル数）が演算される。また、１回の周期報知動作に要する時間が「２０秒」のときにも、「積算時間≧１０秒」との条件を満たす測定サイクル数のうちの最小値である「Ｎ＝１回」との回数（サイクル数）が演算される。
【００６４】
続いて、処理部２５は、積算サイクル数をカウントするために記憶部２６内に規定したカウンタの値をリセット（「カウント値＝０」に設定）すると共に（ステップ３４）、一例として、「カメラによって電力量計を撮影して下さい。」とのメッセージを表示部２４に表示させる。また、処理部２５は、カメラ２１を制御して撮像を開始させると共に、カメラ２１から出力される撮像データＤｐの画像を表示部２４に表示させる。さらに、処理部２５は、撮像データＤｐを対象とする画像解析を行い、電力量計Ｍによる周期報知動作（計量用円板の回転、または、計量パルス報知部の点滅）の検出が可能か否かを判別する（ステップ３５）。
【００６５】
この際に、電力量計Ｍを十分な大きさで、かつ十分な明度で撮像することができ、この結果として、撮像データＤｐの画像解析によって周期報知動作を検出することができると判別したときに、処理部２５は、図３に示す制御処理４０を実行する。この制御処理４０では、処理部２５は、カメラ２１から出力される撮像データＤｐを画像解析することにより、対象の電力量計Ｍが誘導形電力量計のときには、マーク付与部（例えば、赤色の着色が施された部位）が電力量計Ｍの真正面に移動したタイミングを検出し、対象の電力量計Ｍが電子式電力量計のときには、計量パルス報知部（例えば、ＬＥＤ）が点灯したタイミング（または、消灯したタイミング）を検出する（ステップ４１）。
【００６６】
また、処理部２５は、１回分の周期報知動作を検出したときに、カウンタのカウント値が「０」か否かを判別する（ステップ４２）。この際に、制御処理４０を開始した直後の本例では、カウント値が「０」のため、処理部２５は、積算電力量の測定処理を開始させる制御コマンドＤｃを通信部２２ａから電力計１に送信させる（ステップ４３）。
【００６７】
これに応じて、電力計１では、携帯情報端末２から送信された制御コマンドＤｃが通信部１２によって受信されたときに、処理部１５が、「第２の演算部」として機能して、電力量データＤｗの値の積算処理を開始する。以後、後述するように、積算電力量の測定処理を終了させる制御コマンドＤｃが携帯情報端末２から送信されるまで、電力計１において電力量データＤｗの値の積算処理（積算電力量の演算処理）が継続して実行される。
【００６８】
一方、携帯情報端末２では、処理部２５が、ステップ４３における制御コマンドＤｃの送信後に、カウンタのカウント値をカウントアップする（カウント値に「１」を加算する：ステップ４４）。また、処理部２５は、カウント値から「１」を差し引いた値が、報告書データ生成処理３０のステップ３３において特定した「必要測定サイクル数」に達しているか否かを判別する（ステップ４５）。この際に、カウント値から「１」を差し引いた値が「０」となる本例では、処理部２５は、「必要測定サイクル数」に達していないと判別し、撮像データＤｐの画像解析を行って、１回分の周期報知動作の有無を監視する（ステップ４１）。
【００６９】
また、処理部２５は、電力量計Ｍにおいて１回分の周期報知動作が行なわれ、これを検出したときに（ステップ４１）、処理部２５は、カウンタのカウント値が「０」ではない（本例では、「１」である）と判別する（ステップ４２）。この際に、処理部２５は、カウンタのカウント値をカウントアップし（ステップ４４）、カウントアップ後のカウント値から「１」を差し引いた値が「必要測定サイクル数」に達したか否かを判別する（ステップ４５）。
【００７０】
この場合、一例として、特定されている「必要測定サイクル数」が「５」であったときに、処理部２５は、「必要測定サイクル数」に達していないと判別し、撮像データＤｐの画像解析を行って１回分の周期報知動作の有無を監視する（ステップ４１）。また、上記のステップ４１〜４５の処理を繰り返すことにより、ステップ４４におけるカウントアップによってカウント値が「６」となったときに、処理部２５は、「必要測定サイクル数」に達したと判別し（ステップ４５）、積算電力量の測定処理を終了させる制御コマンドＤｃを通信部２２ａから電力計１に送信させ（ステップ４６）、この制御処理４０を終了して報告書データ生成処理３０に戻る。
【００７１】
これに応じて、電力計１では、携帯情報端末２から送信された制御コマンドＤｃが通信部１２によって受信されたときに、処理部１５が、「第２の演算部」として機能して、電力量データＤｗの値の積算処理を終了し、その時点における演算結果（積算値）に基づいて積算電力量データＤｔを生成し、生成した積算電力量データＤｔを記憶部１６に記憶させる。また、処理部１５は、生成した積算電力量データＤｔの値を表示部１４に表示させると共に、通信部１２から携帯情報端末２に送信させる。
【００７２】
一方、前述したステップ３５において、電力量計Ｍから遠く離れた位置から撮像が行なわれたり、暗所において撮像が行なわれたりしたことに起因して撮像データＤｐの画像解析では電力量計Ｍによる周期報知動作を検出することができないと判別したときに、処理部２５は、上記の制御処理４０に代えて、図４に示す制御処理５０を実行する。この制御処理５０では、一例として、「電力計の動作に合わせて画面にタッチして下さい」とのメッセージを表示部２４に表示させると共に、操作部２３（タッチパネル）に対するタッチ操作が行なわれたか否かを監視する（ステップ５１）。この際に、上記のメッセージを見た利用者が、計量用円板におけるマーク付与部が真正面に位置したタイミング、または、計量パルス報知部の点灯（または消灯）に合わせて操作部２３に対するタッチ操作を行う。
【００７３】
また、処理部２５は、操作部２３に対するタッチ操作を検出したとき（すなわち、周期報知動作によって報知される周期に対応するタイミングを検出したとき：マーク付与部が電力量計Ｍの真正面に移動したタイミング、または計量パルス報知部による周期報知動作に対応するタイミングを検出したとき）に、カウンタのカウント値が「０」か否かを判別する（ステップ５２）。この際に、制御処理４０を開始した直後の本例では、カウント値が「０」のため、処理部２５は、積算電力量の測定処理を開始させる制御コマンドＤｃを通信部２２ａから電力計１に送信させる（ステップ５３）。
【００７４】
これに応じて、電力計１では、処理部１５が、「第２の演算部」として機能して、電力量データＤｗの値の積算処理を開始し、後述するように、積算電力量の測定処理を終了させる制御コマンドＤｃが携帯情報端末２から送信されるまで、電力量データＤｗの値の積算処理（積算電力量の演算処理）を継続して実行する。
【００７５】
一方、携帯情報端末２では、処理部２５が、ステップ５３における制御コマンドＤｃの送信後に、カウンタのカウント値をカウントアップする（ステップ５４）。また、処理部２５は、カウント値から「１」を差し引いた値が、「必要測定サイクル数」に達しているか否かを判別する（ステップ５５）。この際に、カウント値から「１」を差し引いた値が「０」となる本例では、処理部２５は、「必要測定サイクル数」に達していないと判別し、操作部２３に対するタッチ操作の有無を監視する（ステップ５１）。
【００７６】
また、処理部２５は、電力量計Ｍによる１回分の周期報知動作に伴う操作部２３に対するタッチ操作を検出したときに（ステップ５１）、処理部２５は、カウンタのカウント値が「０」ではない（本例では、「１」である）と判別する（ステップ５２）。この際に、処理部２５は、カウンタのカウント値をカウントアップし（ステップ５４）、カウントアップ後のカウント値から「１」を差し引いた値が「必要測定サイクル数」に達したか否かを判別する（ステップ５５）。
【００７７】
また、上記のステップ５１〜５５の処理を繰り返すことにより、ステップ５４におけるカウントアップによってカウント値から「１」を差し引いた値が「必要測定サイクル数」に達したときに（ステップ５５）、積算電力量の測定処理を終了させる制御コマンドＤｃを通信部２２ａから電力計１に送信させ（ステップ５６）、この制御処理５０を終了して報告書データ生成処理３０に戻る。
【００７８】
これに応じて、電力計１では、処理部１５が、「第２の演算部」として機能して、電力量データＤｗの値の積算処理を終了し、その時点における演算結果（積算値）に基づいて積算電力量データＤｔを生成し、生成した積算電力量データＤｔを記憶部１６に記憶させる。また、処理部１５は、生成した積算電力量データＤｔの値を表示部１４に表示させると共に、通信部１２から携帯情報端末２に送信させる。
【００７９】
また、携帯情報端末２では、記憶部２６が、上記の制御処理４０，５０のいずれかの実行によって電力計１から送信された積算電力量データＤｔを記憶部２６に記憶させると共に、この積算電力量データＤｔに基づいて報告書データＤｒを生成して（ステップ３６）、この報告書データ生成処理３０を終了する。この場合、本例の測定システム１００では、上記の制御処理４０，５０のいずれが実行された場合においても、記憶部２６によって特定される上記の「Ｎ回」の回数が作業者に報知されることなく測定処理が実行される。
【００８０】
したがって、作業者は、電力量計Ｍを撮像した撮像データＤｐを対象とする画像解析によって「周期報知動作によって報知される周期に対応するタイミング」を検出させる場合には、電力量計Ｍをどれだけの時間に亘って撮像し続ければ測定処理が完了するのかを知らずに測定作業を実行し、操作部２３に対するタッチ操作によって「周期報知動作によって報知される周期に対応するタイミング」を検出させる場合には、操作部２３に対するタッチ操作を何回行えば測定処理が完了するのかを知らずに測定作業を実行することとなる。
【００８１】
これにより、本例の測定システム１００では、電力量計Ｍによる周期報知動作によって報知される周期とは非同期の任意のタイミングで積算電力量データＤｔの生成開始タイミングおよび終了タイミング（積算時間の始点および終点に対応するタイミング）を検出させることが困難となっている。このため、積算電力量データＤｔの値が実態とは異なる報告書データＤｒが生成される自体が好適に回避されている。
【００８２】
次いで、処理部２５は、生成した報告書データＤｒを通信部２２ｂおよびネットワークＮを介してデータサーバ３に送信する。これにより、使用者は、データサーバ３に接続可能な図示しないパーソナルコンピュータを使用してデータサーバ３から報告書データＤｒをダウンロードした後に、測定結果表示を表示させたり、印刷装置で印刷したりすることにより、その測定結果表示における測定対象像等に基づき、電力量計Ｍが積算電力量を正確に計量していたか否かを正確かつ容易に把握することができる。
【００８３】
このように、この測定システム１００では、処理部２５が、電力量計ＭがＮ回の周期報知動作を行う間の積算電力量を「第２の演算部（電力計１の処理部１５）」に演算させると共に、「予め規定された条件（一例として、「積算時間≧１０秒」との条件）」を満たすように「Ｎ回」の回数を規定（変更）する。また、この測定システム用プログラムＤｓ２では、上記の処理を測定システム１００の処理部２５に実行させる。
【００８４】
したがって、この測定システム１００および測定システム用プログラムＤｓ２によれば、電力量計Ｍが何回の周期報知動作を行う間に亘って電力量が積算されるかを作業者に認識させることなく、積算電力量が測定（演算）されて積算電力量データＤｔが生成されるため、測定される積算電力量が意図的に実態とは異なる値に調整されるのを確実に回避して、実態に即した高精度な積算電力量が記録された積算電力量データＤｔを提供することができる。
【００８５】
また、この測定システム１００では、「検出部」が、周期報知動作によって報知される周期に同期させた「タイミング特定用操作（本例では、タッチパネルに対するタッチ操作）」が可能な操作部２３を備え、操作部２３に対する「タイミング特定用操作」に基づき、周期報知動作によって報知される周期に対応するタイミングを検出可能に構成されている。したがって、この測定システム１００および測定システム用プログラムＤｓ２によれば、比較的簡易な構成、または簡易な処理によって電力量計Ｍによる周期報知動作の周期に対応する周期を検出して積算電力量を測定（演算）して積算電力量データＤｔを生成することができるため、製造コストの高騰を招くことなく、高精度な積算電力量が記録された積算電力量データＤｔを取得し得る測定システム１００を提供することができる。
【００８６】
さらに、この測定システム１００では、「検出部」が、電力量計Ｍを撮像可能なカメラ２１と、カメラ２１から出力される撮像データＤｐを解析して周期報知動作によって報知される周期を特定する「画像解析部（本例では、処理部２５）」とを備え、「画像解析部」の解析結果に基づき、周期報知動作によって報知される周期に対応するタイミングを検出可能に構成されている。したがって、この測定システム１００および測定システム用プログラムＤｓ２によれば、電力量計Ｍを撮像させるだけで周期報知動作によって報知される周期に対応するタイミングを検出して積算電力量を測定（演算）して積算電力量データＤｔを生成することができるため、この種の装置の操作に不慣れな作業者に対して高精度な積算電力量が記録された積算電力量データＤｔを容易に取得させることができる。
【００８７】
また、この測定システム１００では、「測定部（本例では、電圧測定部１１Ｖおよび電流測定部１１Ａ）」を有する「第１の装置（電力計１）」と、「検出部」および記憶部２６を有すると共に「第１の装置」とは別体に構成されて「第１の装置」と通信可能に構成された「第２の装置（携帯情報端末２）」とを備えて構成されている。したがって、この測定システム１００および測定システム用プログラムＤｓ２によれば、電力量の測定に適した位置に電力計１を配設した状態で、電力量計Ｍを確実に視認、または撮像し得る位置において携帯情報端末２から電力計１を遠隔操作で動作させることで積算電力量データＤｔを生成することができるため、高精度な積算電力量データＤｔを確実かつ容易に取得させることができる。
【００８８】
なお、「測定システム」の構成や、「測定システム用プログラム」の処理内容については、上記の例に限定されない。例えば、「予め規定された条件」として「予め規定された時間に亘って電力量データＤｗの値を積算可能な回数（一例として「積算時間≧１０秒」との条件）」を満たす「Ｎ回」を規定して積算電力量データＤｔを生成する構成・方法を例に挙げて説明したが、「予め規定された時間に亘って電力量データＤｗの値を積算可能な回数よりも、規定回数だけ多い回数」との条件を「予め規定された条件」として「Ｎ回」を規定したり、このような条件に代えて、「ランダムに変更される回数」との条件を「予め規定された条件」として「Ｎ回」を規定したりすることができる。
【００８９】
また、積算電力量データＤｔの演算を開始する以前に「Ｎ回」の回数を規定する構成・方法を例に挙げて説明したが、積算電力量データＤｔの演算を開始した後に「Ｎ回」の回数を規定する構成・方法を採用することもできる。具体的には、積算電力量データＤｔの演算を開始した後に、「計器定数」の取得や、瞬時電力量の特定（電力量データＤｗの取得）を実行し、取得した情報に基づいて「Ｎ回」を規定することができる。
【００９０】
また、「第１の装置」としての電力計１と「第２の装置」としての携帯情報端末２とが相俟って「測定システム」として機能する測定システム１００を例に挙げて説明したが、測定システム１００における電力計１の機能と携帯情報端末２の機能とを一体化した機器（測定装置）で「測定システム」を構成することもできる（図示せず）。さらに、上記の測定システム１００のように「測定システム」を複数の装置で構成する場合においても、「測定部」と、「第１の演算部」と、「第２の演算部」と、「検出部」および「処理部」とについては、それぞれ別個の装置の構成要素としたり、これらのうちの任意の複数を組み合わせて１つの装置の構成要素としたりすることができる。
【００９１】
また、「計器定数」の取得については、例えば電力量計Ｍの正面パネルを携帯情報端末２のカメラ２１によって撮像し、その撮像データを解析することで「計器定数」を特定する構成や、携帯情報端末２の操作部２３を操作して電力量計Ｍの形式番号等を入力することで、入力した番号に対応付けられている「計器定数」を、そのような情報が蓄積されたサーバからダウンロードして取得する構成を採用することができる。さらに、測定対象の「電力量計」の種類が限られている場合には、それらの「電力量計」の「計器定数」の選択候補を携帯情報端末２に予め登録しておき、測定作業に際しては、登録されている選択候補のなかから任意の「計器定数」を選択するとの構成を採用することもできる。
【００９２】
加えて、「単相二線」の電源ラインＬ（導線Ｌａ，Ｌｂ）を対象として一連の処理を実行する例について説明したが、測定対象の「導電路」はこれに限定されず、「単相三線」や「三相四線」などの各種の「導電路」を測定対象とすることができる。
【符号の説明】
【００９３】
１００  測定システム
１  電力計
２  携帯情報端末
１１Ａ  電流測定部
１１Ｖ  電圧測定部
１２，２２ａ  通信部
１５，２５  処理部
１６，２６  記憶部
２１  カメラ
２３  操作部
３０  報告書データ生成処理
４０，５０  制御処理
Ｄａ  電流値データ
Ｄｃ  制御コマンド
Ｄｐ  撮像データ
Ｄｒ  報告書データ
Ｄｓ２  測定システム用プログラム
Ｄｔ  積算電力量データ
Ｄｖ  電圧値データ
Ｄｗ  電力量データ
Ｌ  電源ライン
Ｌａ，Ｌｂ  導線
Ｍ  電力量計
【図１】
2018197703.tif 000003
【図２】
2018197703.tif 000004
【図３】
2018197703.tif 000005
【図４】
2018197703.tif 000006